(57)【要約】【課題】棚柱に対する背面パネルの着脱を簡単にし、ショーケース組立工数の低減と現地メンテナンス作業の容易を図る。【解決手段】断熱壁からなる本体ケースの内部に前面が開放した商品陳列室が区画され、この商品陳列室内に商品棚が多段に設置されるとともに、商品陳列室の背面パネル１４は本体ケースに支持された棚柱１１（１６,１７）に前方から取り付けられるオープンショーケースにおいて、背面パネル１４の左右側面にダボ１４ａを突出形成するとともに、棚柱１１の側面にダボ１４ａに対応する凹部１１ａを形成し、背面パネル１４を棚柱１１に前方から押し込み、ダボ１４ａを凹部１１ａに嵌合させて背面パネル１４を棚柱１１に取り付けるようにする。背面パネル１４をネジ止めなしで簡単に取り付け、取り外すことができ、また脱着の繰り返しによりネジ穴が広がったりすることもない。【選択図】  図１
2006115984.tif 000002
【特許請求の範囲】
【請求項１】
断熱壁からなる本体ケースの内部に前面が開放した商品陳列室が区画され、この商品陳列室内に商品棚が多段に設置されるとともに、前記商品陳列室の背面パネルは前記本体ケースに支持された棚柱に前方から取り付けられるオープンショーケースにおいて、
前記背面パネルの左右側面又はこの左右側面に対向する前記棚柱の側面にダボを突出形成するとともに、前記棚柱の側面又は前記背面パネルの左右側面に前記ダボに対応する凹部を形成し、前記背面パネルを前記棚柱に前方から押し込み、前記ダボを前記凹部に嵌合させて前記背面パネルを前記棚柱に取り付けるようにしたことを特徴とするオープンショーケース。
【発明の詳細な説明】
【技術分野】
【０００１】
この発明は、多段形オープンショーケースに関し、詳しくは商品陳列室の背面パネルの取付構造に関する。
【背景技術】
【０００２】
多段形オープンショーケースについては、例えば特許文献１に記載されているが、その一般的な構造を改めて示すと図４の通りである。図４において、断熱壁からなる本体ケース１の内部に、鋼板からなる内箱２により前面が開放した商品陳列室３が区画され、その周囲に冷気循環通風路４が形成されている。冷気循環通風路４の一部を構成するショーケース本体１の下部空間には冷却器５及び送風ファン６が設置されている。冷気循環通風路４の上端部は冷気吹出口７としてハニカム構造の整流体が組み込まれ、下端部は冷気吸込口８として構成されている。商品陳列室３内には多段（図示は４段）に商品棚９が設置されている。
【０００３】
このようなオープンショーケースにおいて、送風ファン６が運転されると、循環通風路４を気流が矢印方向に循環し、吹出口７から吹き出された気流は、商品貯蔵室３の開放面にエアカーテン１０を形成し、商品貯蔵室３を外気から遮断する。この気流は冷却器５を通過して冷却され、冷気となって循環しながら、商品棚９上の図示しない商品を冷却する。なお、内箱２の背面には図示しないが多数の小穴が設けられており、冷気はこの小穴からも庫内に流入する。
【０００４】
ここで、本体ケース１内には棚柱１１が垂直に固定されており、商品棚９はブラケット１２を介して棚柱１１に掛けられている。一方、内箱２は上部パネル１３、背面パネル１４、デッキパン１５等からなり、背面パネル１４は棚柱１１に取り付けられている。
【０００５】
図５は図４の棚柱部分の水平断面を示す拡大図である。図５において、棚柱１１は左右両端の端柱１６と中央の中柱１７とからなり、いずれも本体ケース１に図示しないねじで固定されている。背面パネル１４は左右に２分割され、それぞれ端柱１６と中柱１７に渡るように、その前面に取り付けられている。その場合、棚柱１１（端柱１６,中柱１７）にあけられた複数箇所の下穴に、背面パネル１４を貫通する取付穴を通してネジ（タッピンネジ）１８がねじ込まれ、背面パネル１４はこのネジ１８により棚柱１１に締め付けられている。なお、棚柱１１の前面には、商品棚９のブラケット１２を掛けるスリット穴１９が上下方向に多数配列されている。
【特許文献１】実開昭６３―８２１８５号のマイクロフィルム
【発明の開示】
【発明が解決しようとする課題】
【０００６】
従来は商品陳列室を形成する背面パネルをネジにより棚柱に取り付けている。そのため、従来は背面パネルの取り付けに非常に手間がかかり、ショーケースの組立工数を増やす要因となっていた。また、据付現地でのメンテナンス時においても、背面パネルの取り付け・取り外しに手間がかかり、何度も脱着を繰り返していると棚柱の下穴が広がり、締め付け不能になることがあった。
【０００７】
そこで、この発明の課題は、棚柱に対する背面パネルの着脱を簡単にし、ショーケース組立工数の低減と現地メンテナンス作業の容易を図ることにある。
【課題を解決するための手段】
【０００８】
上記課題を解決するために、この発明は、断熱壁からなる本体ケースの内部に前面が開放した商品陳列室が区画され、この商品陳列室内に商品棚が多段に設置されるとともに、前記商品陳列室の背面パネルは前記本体ケースに支持された棚柱に前方から取り付けられるオープンショーケースにおいて、前記背面パネルの左右側面又はこの左右側面に対向する前記棚柱の側面にダボを突出形成するとともに、前記棚柱の側面又は前記背面パネルの左右側面に前記ダボに対応する凹部を形成し、前記背面パネルを前記棚柱に前方から押し込み、前記ダボを前記凹部に嵌合させて前記背面パネルを前記棚柱に取り付けるようにするものである。
【発明の効果】
【０００９】
この発明によれば、背面パネル及び棚柱の一方のダボと他方の凹部とを嵌合させて背面パネルを棚柱に取り付けることにより、ネジ止めなしで簡単に背面パネルを取り付け、従って取り外すことができ、また脱着の繰り返しによりネジ穴が広がったりネジ山が潰れたりすることもない。
【発明を実施するための最良の形態】
【００１０】
図１〜図３はこの発明の実施の形態を示し、図１はオープンショーケースの棚柱部分の水平断面図、図２は背面パネルに形成したダボを示す斜視図、図３は棚柱に形成した凹部を示す要部拡大図である。なお、従来例と対応する部分には同一の符号を用いるものとする。図１において、棚柱１１は左右両端の端柱１６と中央の中柱１７とからなり、背面パネル１４は左右に２分割され、それぞれ端柱１６と中柱１７とに渡るように、その前面に取り付けられている。ここで、背面パネル１４は両端がＬ形に折り曲げられ、その左右側面に図２に示す縦長のダボ１４ａが、各上下２箇所に押し出し成形により突出形成されている。一方、背面パネル１４の左右側面に対向する棚柱１１（端柱１６及び中柱１７）の側面には、ダボ１４ａに対応する凹部１１ａが形成されている。図１の場合、凹部１１ａは、図３（Ａ）に示したＶ溝として形成されている。
【００１１】
背面パネル１４を装着するには、図１の左側パネルについて矢印で示すように、背面パネル１４を棚柱１１に対して押し込み、図１の右側パネルについて示すように、ダボ１４ａを凹部１１ａに弾性的に嵌合させる。これにより、背面パネル１４を簡単に棚柱１１に取り付けることができる。また、取り付けた背面パネル１４は、手前に引っ張ることにより容易に外すことができる。棚柱１１の凹部１１ａは、Ｖ溝の他に図３の（Ｂ）に示す逆ダボ、あるいは（Ｃ）に示す穴とすることができる。また、図示実施の形態では背面パネル側にダボを形成し、棚柱側に凹部を形成した例を示したが、背面パネル側に凹部を形成し、棚柱側にダボを形成することも可能である。
【図面の簡単な説明】
【００１２】
【図１】この発明の実施の形態を示すオープンショーケースの棚柱部分の水平断面図である。
【図２】図１における背面パネルのダボを示す斜視図である。
【図３】棚柱に形成する凹部の種々の態様を示す斜視図である。
【図４】オープンショーケースの一般的な構造を示す縦断面図である。
【図５】従来例を示すオープンショーケースの棚柱部分の水平断面図である。
【符号の説明】
【００１３】
１    本体ケース
２    内箱
３    商品陳列室
９    商品棚
１１    棚柱
１１ａ  凹部
１４    背面パネル
１４ａ  ダボ
１６    端柱
１７    中柱
【図１】
2006115984.tif 000003
【図２】
2006115984.tif 000004
【図３】
2006115984.tif 000005
【図４】
2006115984.tif 000006
【図５】
2006115984.tif 000007